(57)【要約】【課題】  パーソナルコンピュータから液晶プロジェクタへＵＳＢケーブルを介して伝送すべきデータ量を小さくして、伝送を適切に行わせることができる画像表示システムを提供すること。【解決手段】  パーソナルコンピュータ２では、画像データ処理手段２２１が画像データを補正処理した後、部分精度データ生成手段２２２が当該補正画像データを複数の部分精度データに分割する。送信データ判定手段２２３１は、各部分精度データについて送信すべきか否かを判定し、送信すべきと判定された部分精度データのみがＵＳＢケーブル４を介して液晶プロジェクタ３に送信される。したがって、ＵＳＢケーブル４を介して伝送されるデータ量を小さくして、伝送を適切に行わせることができる。【選択図】  図１
2007074473.tif 000002
【特許請求の範囲】
【請求項１】
画像データを処理するデータ処理装置と、前記データ処理装置にて処理された画像データに基づいて画像を表示する画像表示装置と、前記データ処理装置および前記画像表示装置間においてデータを伝送する伝送路とを備える画像表示システムであって、
前記データ処理装置は、
画像データに対して所定の補正処理を行って、補正画像データを生成する画像データ処理手段と、
前記補正画像データを精度に応じて複数の部分精度データに分割する部分精度データ生成手段と、
前記各部分精度データのそれぞれについて送信すべきか否かを判定する送信データ判定手段と、
前記送信データ判定手段にて送信すべきと判定された部分精度データを前記伝送路を介して送信する送信手段とを備え、
前記画像表示装置は、
前記送信手段から前記伝送路を介して送信される部分精度データを受信する受信手段と、
前記受信手段にて受信された部分精度データを記憶する記憶手段と、
前記記憶手段にて記憶された各精度ごとの部分精度データを合成するデータ合成手段と、
前記データ合成手段にて合成された画像データを表示する画像表示手段とを備える、
ことを特徴とする画像表示システム。
【請求項２】
請求項１に記載の画像表示システムにおいて、
前記送信データ判定手段は、判定対象の部分精度データを先の時間における対応する部分精度データと比較し、両者が異なるときは当該部分精度データを送信すべきと判定し、両者が同じときは当該部分精度データを送信すべきでないと判定する、
ことを特徴とする画像表示システム。
【請求項３】
請求項１または請求項２に記載の画像表示システムにおいて、
前記データ処理装置は、前記部分精度データ生成手段にて生成された複数の部分精度データのうち前記送信データ判定手段にて送信すべきでないと判定された部分精度データに対応して非更新データを設定する非更新データ設定手段を備え、
前記送信手段は、前記非更新データを前記伝送路を介して送信し、
前記受信手段は、前記送信手段から前記伝送路を介して送信される非更新データを受信し、
前記記憶手段は、前記受信手段にて受信された非更新データを参照し、当該記憶手段に記憶されている当該非更新データに対応する部分精度データの更新を行わない、
ことを特徴とする画像表示システム。
【請求項４】
請求項１から請求項３のいずれかに記載の画像表示システムにおいて、
前記データ処理装置は、前記送信データ判定手段にて送信すべきと判定された部分精度データが前記伝送路を介して実際に送信可能か否かを判定する送信可否判定手段を備え、
前記送信手段は、前記送信可否判定手段にて送信可能と判定された部分精度データを前記伝送路を介して送信する、
ことを特徴とする画像表示システム。
【請求項５】
請求項４に記載の画像表示システムにおいて、
前記データ処理装置は、前記部分精度データ生成手段にて生成された複数の部分精度データのうち前記送信可否判定手段にて送信可能でないと判定された部分精度データに対応して初期化データを設定する初期化データ設定手段を備え、
前記送信手段は、前記初期化データを前記伝送路を介して送信し、
前記受信手段は、前記送信手段から前記伝送路を介して送信される初期化データを受信し、
前記記憶手段は、前記受信手段にて受信された初期化データを参照し、当該記憶手段に記憶されている当該初期化データに対応する部分精度データを初期化する、
ことを特徴とする画像表示システム。
【請求項６】
請求項４または請求項５に記載の画像表示システムにおいて、
前記部分精度データ生成手段は、画像における主要部を表現可能な１つの主要部分精度データと、前記補正画像データから前記主要部分精度データを差し引いて得られる差分データに基づいて生成され、当該主要部分精度データと合成されることにより画像における詳細部を表現可能な少なくとも１つの詳細部分精度データとに前記補正画像データを分割し、
前記送信可否判定手段は、前記部分精度データ生成手段にて生成された複数の部分精度データのうち、前記主要部分精度データを前記詳細部分精度データよりも優先的に送信可能と判定する、
ことを特徴とする画像表示システム。
【請求項７】
請求項６に記載の画像表示システムにおいて、
前記主要部分精度データは、ビットで表された補正画像データにおいて、最上位ビットから所定数ビット分のデータとして生成される、
ことを特徴とする画像表示システム。
【請求項８】
請求項６に記載の画像表示システムにおいて、
前記主要部分精度データは、ＭＰＥＧ方式にて符号化された補正画像データにおけるＧＯＰ構造に含まれる各ピクチャに基づいて生成される、
ことを特徴とする画像表示システム。
【請求項９】
請求項６に記載の画像表示システムにおいて、
前記主要部分精度データは、前記補正画像データに空間周波数変換を施して得られる各空間周波数成分のうちの定常成分として生成される、
ことを特徴とする画像表示システム。
【請求項１０】
請求項１から請求項９のいずれかに記載の画像表示システムにおいて、
前記データ処理装置は、前記補正画像データを複数の部分領域に分割する部分領域分割手段を備え、
前記データ処理装置および前記画像表示装置における処理は、前記各部分領域ごとに実行される、
ことを特徴とする画像表示システム。
【請求項１１】
画像データを処理するデータ処理装置と、前記データ処理装置にて処理された画像データに基づいて画像を表示する画像表示装置と、前記データ処理装置および前記画像表示装置間においてデータを伝送する伝送路とを備える画像表示システムを利用した画像表示方法であって、
前記データ処理装置は、
画像データに対して所定の補正処理を行って、補正画像データを生成する画像データ処理ステップと、
前記補正画像データを精度に応じて複数の部分精度データに分割する部分精度データ生成ステップと、
前記各部分精度データのそれぞれについて送信すべきか否かを判定する送信データ判定ステップと、
前記送信データ判定ステップにて送信すべきと判定された部分精度データを前記伝送路を介して送信する送信ステップとを実行し、
前記画像表示装置は、
前記送信ステップにて前記伝送路を介して送信される部分精度データを受信する受信ステップと、
前記受信ステップにて受信された部分精度データを記憶する記憶ステップと、
前記記憶ステップにて記憶された各精度ごとの部分精度データを合成するデータ合成ステップと、
前記データ合成ステップにて合成された画像データを表示する画像表示ステップとを実行する、
ことを特徴とする画像表示方法。
【請求項１２】
画像データを処理するデータ処理装置と、前記データ処理装置にて処理された画像データに基づいて画像を表示する画像表示装置と、前記データ処理装置および前記画像表示装置間においてデータを伝送する伝送路とを備える画像表示システムを利用した画像表示プログラムであって、
前記データ処理装置に組み込まれたコンピュータに、
画像データに対して所定の補正処理を行って、補正画像データを生成する画像データ処理ステップと、
前記補正画像データを精度に応じて複数の部分精度データに分割する部分精度データ生成ステップと、
前記各部分精度データのそれぞれについて送信すべきか否かを判定する送信データ判定ステップと、
前記送信データ判定ステップにて送信すべきと判定された部分精度データを前記伝送路を介して送信する送信ステップとを実行させ、
前記画像表示装置に組み込まれたコンピュータに、
前記送信ステップにて前記伝送路を介して送信される部分精度データを受信する受信ステップと、
前記受信ステップにて受信された部分精度データを記憶する記憶ステップと、
前記記憶ステップにて記憶された各精度ごとの部分精度データを合成するデータ合成ステップと、
前記データ合成ステップにて合成された画像データを表示する画像表示ステップとを実行させる、
ことを特徴とする画像表示プログラム。
【請求項１３】
請求項１２に記載の画像表示プログラムが記録され、コンピュータによって読み取り可能である、
ことを特徴とする記録媒体。    
【請求項１４】
画像データに対して所定の補正処理を行って、補正画像データを生成する画像データ処理手段と、
前記補正画像データを精度に応じて複数の部分精度データに分割する部分精度データ生成手段と、
前記各部分精度データのそれぞれについて送信すべきか否かを判定する送信データ判定手段と、
前記送信データ判定手段にて送信すべきと判定された部分精度データを伝送路を介して送信する送信手段と、
を備えることを特徴とするデータ処理装置。
【請求項１５】
画像データに対して所定の補正処理を行って補正画像データを生成し、当該補正画像データを精度に応じて複数の部分精度データに分割し、当該各部分精度データを送信するデータ処理装置と伝送路を介して接続される画像表示装置であって、
前記データ処理装置から前記伝送路を介して送信される部分精度データを受信する受信手段と、
前記受信手段にて受信された部分精度データを記憶する記憶手段と、
前記記憶手段にて記憶された各精度ごとの部分精度データを合成するデータ合成手段と、
前記データ合成手段にて合成された画像データを表示する画像表示手段と、
を備えることを特徴とする画像表示装置。
【発明の詳細な説明】
【技術分野】
【０００１】
本発明は、画像表示システム，画像表示方法，画像表示プログラム，記録媒体，データ処理装置，画像表示装置に関する。
【背景技術】
【０００２】
従来、画像データを処理するパーソナルコンピュータ（データ処理装置）と、パーソナルコンピュータにて処理された画像データに基づいて画像を表示する液晶プロジェクタ（画像表示装置）と、パーソナルコンピュータおよび液晶プロジェクタ間においてデータを伝送するＵＳＢ（Universal Serial Bus）ケーブル（伝送路）とを備える画像表示システムが知られている（例えば、特許文献１参照）。
【０００３】
特許文献１の画像表示システムでは、液晶プロジェクタに画像を表示させるための画像データがパーソナルコンピュータに入力され、当該パーソナルコンピュータにて補正処理された後、ＵＳＢケーブルを介して液晶プロジェクタに送信される。そして、液晶プロジェクタは、ＵＳＢケーブルを介して受信した補正処理後の画像データ（補正画像データ）をスクリーンに表示する。
【０００４】
【特許文献１】特開２００４−８８１９４号公報
【発明の開示】
【発明が解決しようとする課題】
【０００５】
ところで、パーソナルコンピュータにおける画像データの補正処理としては、例えば、画質改善処理や、液晶プロジェクタの特性補正処理などがある。ここで、画質改善処理とは、色作り，画作りなどと一般に呼ばれている処理であり、例えば、ＲＧＢ各色データのビット数を増やすことにより表現可能色数を増やすことができる。一般に、画像データは、元々ＲＧＢ各色ごとに８ビット、合計２４ビットのデータであるので、およそ１６７８万色を表現可能であるにすぎないが、このような画質改善処理により、画像データを、例えば、ＲＧＢ各色ごとに１０ビット、合計３０ビットのデータとすることができ、およそ１０億７０００万色を表現可能とすることができる。また、液晶プロジェクタの特性補正処理としては、例えば、ＶＴ補正処理（Ｖは液晶プロジェクタにおける液晶パネルへの印加電圧，Ｔは液晶パネルの透過率）や、γ補正処理がある。そして、このような特性補正処理は、一般に、パーソナルコンピュータに入力された画像データ（一般には２４ビット）に対するデータの付加を伴うので、画像データのビット数が増大する。
【０００６】
以上のように、パーソナルコンピュータにおいて行われる補正処理によって、画像データのビット数が増大し、ＵＳＢケーブルを介して液晶プロジェクタに伝送するデータ量が大きくなる。例えば、パーソナルコンピュータに入力された時点ではＲＧＢ各色ごとに８ビットで合計２４ビットであった画像データが、パーソナルコンピュータでの補正処理を経て伝送される際には、ＲＧＢ各色ごとに１２ビットで合計３６ビットのデータ、あるいは、ＲＧＢ各色ごとに１６ビットで合計４８ビットのデータになっていることもある。このように、特許文献１の画像表示システムでは、パーソナルコンピュータから液晶プロジェクタへＵＳＢケーブルを介して伝送すべきデータ量が大きくなり、ＵＳＢケーブルの伝送能力によっては伝送が適切に行われなくなってしまい、結果的に、液晶プロジェクタによって表示される画像の画質が低下してしまう可能性がある。
【０００７】
本発明の目的は、データ処理装置から画像表示装置へ伝送路を介して伝送すべきデータ量を小さくして伝送を適切に行わせることができ、画像表示装置によって表示される画像の画質の低下を防止することができる画像表示システム，画像表示方法，画像表示プログラム，記録媒体，データ処理装置，画像表示装置を提供することである。
【課題を解決するための手段】
【０００８】
本発明の画像表示システムは、画像データを処理するデータ処理装置と、前記データ処理装置にて処理された画像データに基づいて画像を表示する画像表示装置と、前記データ処理装置および前記画像表示装置間においてデータを伝送する伝送路とを備える画像表示システムであって、前記データ処理装置は、画像データに対して所定の補正処理を行って、補正画像データを生成する画像データ処理手段と、前記補正画像データを精度に応じて複数の部分精度データに分割する部分精度データ生成手段と、前記各部分精度データのそれぞれについて送信すべきか否かを判定する送信データ判定手段と、前記送信データ判定手段にて送信すべきと判定された部分精度データを前記伝送路を介して送信する送信手段とを備え、前記画像表示装置は、前記送信手段から前記伝送路を介して送信される部分精度データを受信する受信手段と、前記受信手段にて受信された部分精度データを記憶する記憶手段と、前記記憶手段にて記憶された各精度ごとの部分精度データを合成するデータ合成手段と、前記データ合成手段にて合成された画像データを表示する画像表示手段とを備える、ことを特徴とする。
【０００９】
このような構成の本発明の画像表示システムでは、データ処理装置が、補正処理後の補正画像データを精度に応じて複数の部分精度データに分割し、このうち送信すべきと判定した部分精度データのみを伝送路を介して画像表示装置に送信する。画像表示装置は、受信した部分精度データをその都度記憶する。ここで、部分精度データは各精度ごとに記憶されるようになっており、画像表示装置は、記憶されている各精度ごとの部分精度データを合成することにより表示すべき画像データを構成し、当該画像データに基づく画像を表示する。
【００１０】
ここで、データ処理装置において、部分精度データを送信すべきか否かの判定は、当該部分精度データを送信することが画像表示装置において画像を表示するために必須であるか否かの観点から行われる。ここで、部分精度データを送信すべきでないと判定される場合（当該部分精度データを送信することが画像表示装置において画像を表示するために必須ではない場合）としては、例えば、先の時間における画像の表示に用いられて画像表示装置に既に記憶されている部分精度データをそのまま利用することができ、改めて対応する精度の部分精度データを送信する必要がない場合が挙げられる。
【００１１】
以上のように、本発明の画像表示システムによれば、データ処理装置において送信すべきでないと判定された部分精度データについては送信しなくてよいので、データ処理装置から画像表示装置へ伝送路を介して伝送すべきデータ量を小さくして、伝送を適切に行わせることができ、画像表示装置によって表示される画像の画質の低下を防止することができる。
【００１２】
本発明の画像表示システムでは、前記送信データ判定手段は、判定対象の部分精度データを先の時間における対応する部分精度データと比較し、両者が異なるときは当該部分精度データを送信すべきと判定し、両者が同じときは当該部分精度データを送信すべきでないと判定する、ことが好ましい。
【００１３】
このような構成の画像表示システムによれば、先の時間における対応する部分精度データと比較して変化した部分精度データのみを送信すればよいので、データ処理装置から画像表示装置へ伝送路を介して伝送すべきデータ量を小さくして、伝送を適切に行わせることができ、画像表示装置によって表示される画像の画質の低下を防止することができる。
【００１４】
また、本発明の画像表示システムでは、前記データ処理装置は、前記部分精度データ生成手段にて生成された複数の部分精度データのうち前記送信データ判定手段にて送信すべきでないと判定された部分精度データに対応して非更新データを設定する非更新データ設定手段を備え、前記送信手段は、前記非更新データを前記伝送路を介して送信し、前記受信手段は、前記送信手段から前記伝送路を介して送信される非更新データを受信し、前記記憶手段は、前記受信手段にて受信された非更新データを参照し、当該記憶手段に記憶されている当該非更新データに対応する部分精度データの更新を行わない、ことが好ましい。
【００１５】
このような構成の画像表示システムでは、データ処理装置にて送信すべきでないと判定された部分精度データについては、部分精度データを更新すべきでないという旨のデータ量の小さい非更新データのみが送信され、データ量の大きい部分精度データ自体は送信されない。したがって、データ処理装置から画像表示装置へ伝送路を介して伝送すべきデータ量を小さくして、伝送を適切に行わせることができ、画像表示装置によって表示される画像の画質の低下を防止することができる。
なお、画像表示装置では、非更新データに対応する部分精度データが更新されずに、そのまま画像データの合成に利用される。
【００１６】
また、本発明の画像表示システムでは、前記データ処理装置は、前記送信データ判定手段にて送信すべきと判定された部分精度データが前記伝送路を介して実際に送信可能か否かを判定する送信可否判定手段を備え、前記送信手段は、前記送信可否判定手段にて送信可能と判定された部分精度データを前記伝送路を介して送信する、ことが好ましい。
【００１７】
このような構成の画像表示システムでは、伝送路の状態（輻輳が生じていないか等），画像フレームの更新タイミングまでの時間的余裕，送信すべきデータ量などを参照して送信可否判定手段が部分精度データの送信可否を判定する。そして、送信可能と判定された部分精度データのみが画像表示装置に送信される。
このような画像表示システムによれば、伝送路の状態などの実際の状況に照らして可能な範囲で最大限の量の部分精度データを画像表示装置に送信することができ、実際の状況に照らして最大限の精度の画像を表示させることができる。
【００１８】
また、本発明の画像表示システムでは、前記データ処理装置は、前記部分精度データ生成手段にて生成された複数の部分精度データのうち前記送信可否判定手段にて送信可能でないと判定された部分精度データに対応して初期化データを設定する初期化データ設定手段を備え、前記送信手段は、前記初期化データを前記伝送路を介して送信し、前記受信手段は、前記送信手段から前記伝送路を介して送信される初期化データを受信し、前記記憶手段は、前記受信手段にて受信された初期化データを参照し、当該記憶手段に記憶されている当該初期化データに対応する部分精度データを初期化する、ことが好ましい。
【００１９】
このような構成の画像表示システムでは、送信可否判定手段にて送信不可能と判定された部分精度データについては初期化データが設定され、部分精度データ自体は送信されずに初期化データのみが送信される。ここで、初期化データは部分精度データを初期化すべきという旨のデータであってデータ量が小さいので、部分精度データ自体（データ量大）の送信が不可能でも、初期化データは送信可能である場合が多い。そして、送信された初期化データに基づいて画像表示装置に記憶されている対応する部分精度データが初期化される。
【００２０】
ここで、送信可否判定手段にて送信不可能と判定された部分精度データは、送信データ判定手段にて送信すべきと判定された部分精度データであり、本来であれば（送信可能であれば）画像表示装置に送信されて、記憶手段に記憶されている先の時間における対応する精度の部分精度データの更新に用いられるべきデータである。しかしながら、伝送路の状態などの実際の状況に照らして部分精度データ自体を送信することが不可能であるので、本発明では、代わりに初期化データのみを送信することとしている。これによれば、部分精度データを更新できない場合であっても、部分精度データを初期化することはできるので、少なくとも、先の時間における部分精度データ（本来であれば新たに送信されてくる部分精度データによって更新されるべき部分精度データ）がそのまま画像データの合成に利用されるのを防止することができ、画像の精度の悪化を防止することができる。
【００２１】
また、本発明の画像表示システムでは、前記部分精度データ生成手段は、画像における主要部を表現可能な１つの主要部分精度データと、前記補正画像データから前記主要部分精度データを差し引いて得られる差分データに基づいて生成され、当該主要部分精度データと合成されることにより画像における詳細部を表現可能な少なくとも１つの詳細部分精度データとに前記補正画像データを分割し、前記送信可否判定手段は、前記部分精度データ生成手段にて生成された複数の部分精度データのうち、前記主要部分精度データを前記詳細部分精度データよりも優先的に送信可能と判定する、ことが好ましい。
【００２２】
このような構成の画像表示システムによれば、画像における主要部を表現可能な主要部分精度データが優先的に画像表示装置に送信され、少なくとも主要部については画像表示装置に表示させることができるので、最低限の画像精度を保証することができる。
【００２３】
また、本発明の画像表示システムでは、前記主要部分精度データは、ビットで表された補正画像データにおいて、最上位ビットから所定数ビット分のデータとして生成される、ことが好ましい。
例えば、１２ビットの補正画像データにおいて、最上位ビット（ＭＳＢ：Most Significant Bit）から８ビット分のデータとして主要部分精度データを生成することができる。
【００２４】
また、本発明の画像表示システムでは、前記主要部分精度データは、ＭＰＥＧ方式にて符号化された補正画像データにおけるＧＯＰ構造に含まれる各ピクチャに基づいて生成される、ことが好ましい。
ここで、ＭＰＥＧとは、画像の圧縮方式の１つであり、Moving Picture Experts Group の略称である。また、ＧＯＰとは、ＭＰＥＧにおける画像圧縮の単位となる一群のピクチャであり、Group Of Pictures の略称である。
【００２５】
ＧＯＰを構成するピクチャは、Ｉ（Intra）ピクチャ，Ｐ（Predictive）ピクチャ，Ｂ（Bi-directional predictive）ピクチャの３種類である。ここで、Ｉピクチャは、それ自体で再生可能なピクチャ，Ｐピクチャは、先の時間におけるピクチャを参照して再生可能なピクチャ，Ｂピクチャは、先および後の時間におけるピクチャを参照して再生可能なピクチャである。このように、ＧＯＰ構造においては各ピクチャ間に参照関係が設定されているので、同一のＧＯＰ構造に含まれる各ピクチャは互いに類似・共通する部分が多い。ここで、各ピクチャ間における類似・共通部分は、ＧＯＰによって表される一連のピクチャ（画像）における主要部を構成するので、本発明のようにＧＯＰ構造に含まれる各ピクチャに基づいて主要部分精度データを生成することは合理的かつ容易である。そして、このようにＧＯＰ構造に含まれる各ピクチャ間で共通性の高い主要部分精度データを設定することにより、当該主要部分精度データを画像データから差し引いて生成される詳細部分精度データのデータ量を小さくすることができる。したがって、伝送路を介して伝送されるデータ量を小さくすることができる。
なお、主要部分精度データとしては、例えば、ＧＯＰ構造に含まれる各ピクチャの平均データを用いることができるが、これに限定されない。
【００２６】
また、本発明の画像表示システムでは、前記主要部分精度データは、前記補正画像データに空間周波数変換を施して得られる各空間周波数成分のうちの定常成分として生成される、ことが好ましい。
ここで、空間周波数変換とは、画像データを各空間周波数成分に変換することであり、例えば、ＤＣＴ（Discrete Cosine Transform：離散コサイン変換），フーリエ変換，アダマール変換，ウェーブレット変換が挙げられる。本発明によれば、補正画像データに空間周波数変換を施して生成された各空間周波数成分のうち、変動の最も少ない定常成分を主要部分精度データとしているので、再利用性の高い主要部分精度データを得ることができ、結果的に、伝送路を介して伝送されるデータ量を小さくすることができる。
【００２７】
また、本発明の画像表示システムでは、前記データ処理装置は、前記補正画像データを複数の部分領域に分割する部分領域分割手段を備え、前記データ処理装置および前記画像表示装置における処理は、前記各部分領域ごとに実行される、ことが好ましい。
【００２８】
このような構成の画像表示システムは、特に、時間的変化の小さい部分領域を含む補正画像データの処理に好適である。すなわち、時間的変化の小さい部分領域においては、部分精度データの時間的変化も小さいため、部分精度データの再利用性が高くなる。このため、更新用の部分精度データを画像表示装置に送信する回数を減らすことができるので、伝送路を介して伝送されるデータ量を小さくすることができる。
【００２９】
本発明の画像表示方法は、画像データを処理するデータ処理装置と、前記データ処理装置にて処理された画像データに基づいて画像を表示する画像表示装置と、前記データ処理装置および前記画像表示装置間においてデータを伝送する伝送路とを備える画像表示システムを利用した画像表示方法であって、前記データ処理装置は、画像データに対して所定の補正処理を行って、補正画像データを生成する画像データ処理ステップと、前記補正画像データを精度に応じて複数の部分精度データに分割する部分精度データ生成ステップと、前記各部分精度データのそれぞれについて送信すべきか否かを判定する送信データ判定ステップと、前記送信データ判定ステップにて送信すべきと判定された部分精度データを前記伝送路を介して送信する送信ステップとを実行し、前記画像表示装置は、前記送信ステップにて前記伝送路を介して送信される部分精度データを受信する受信ステップと、前記受信ステップにて受信された部分精度データを記憶する記憶ステップと、前記記憶ステップにて記憶された各精度ごとの部分精度データを合成するデータ合成ステップと、前記データ合成ステップにて合成された画像データを表示する画像表示ステップとを実行する、ことを特徴とする。
【００３０】
このような構成の画像表示方法は、前述した本発明の画像表示システムによって実施されるものであるので、本発明の画像表示システムについて前述した各作用・効果を奏することができる。
【００３１】
本発明の画像表示プログラムは、画像データを処理するデータ処理装置と、前記データ処理装置にて処理された画像データに基づいて画像を表示する画像表示装置と、前記データ処理装置および前記画像表示装置間においてデータを伝送する伝送路とを備える画像表示システムを利用した画像表示プログラムであって、前記データ処理装置に組み込まれたコンピュータに、画像データに対して所定の補正処理を行って、補正画像データを生成する画像データ処理ステップと、前記補正画像データを精度に応じて複数の部分精度データに分割する部分精度データ生成ステップと、前記各部分精度データのそれぞれについて送信すべきか否かを判定する送信データ判定ステップと、前記送信データ判定ステップにて送信すべきと判定された部分精度データを前記伝送路を介して送信する送信ステップとを実行させ、前記画像表示装置に組み込まれたコンピュータに、前記送信ステップにて前記伝送路を介して送信される部分精度データを受信する受信ステップと、前記受信ステップにて受信された部分精度データを記憶する記憶ステップと、前記記憶ステップにて記憶された各精度ごとの部分精度データを合成するデータ合成ステップと、前記データ合成ステップにて合成された画像データを表示する画像表示ステップとを実行させる、ことを特徴とする。
【００３２】
本発明の記録媒体は、前記画像表示プログラムが記録され、コンピュータによって読み取り可能である、ことを特徴とする。
【００３３】
以上のような構成の画像表示プログラムおよび記録媒体は、前述した本発明の画像表示方法を実施するために利用されるので、本発明の画像表示方法について前述した各作用・効果を奏することができる。
【００３４】
本発明のデータ処理装置は、画像データに対して所定の補正処理を行って、補正画像データを生成する画像データ処理手段と、前記補正画像データを精度に応じて複数の部分精度データに分割する部分精度データ生成手段と、前記各部分精度データのそれぞれについて送信すべきか否かを判定する送信データ判定手段と、前記送信データ判定手段にて送信すべきと判定された部分精度データを伝送路を介して送信する送信手段と、を備えることを特徴とする。
【００３５】
本発明の画像表示装置は、画像データに対して所定の補正処理を行って補正画像データを生成し、当該補正画像データを精度に応じて複数の部分精度データに分割し、当該各部分精度データを送信するデータ処理装置と伝送路を介して接続される画像表示装置であって、前記データ処理装置から前記伝送路を介して送信される部分精度データを受信する受信手段と、前記受信手段にて受信された部分精度データを記憶する記憶手段と、前記記憶手段にて記憶された各精度ごとの部分精度データを合成するデータ合成手段と、前記データ合成手段にて合成された画像データを表示する画像表示手段と、を備えることを特徴とする。
【００３６】
以上のような構成のデータ処理装置および画像表示装置は、前述した本発明の画像表示システムを構成するので、本発明の画像表示システムについて前述した各作用・効果を奏することができる。
【発明を実施するための最良の形態】
【００３７】
続いて、本発明の実施形態を図面に基づいて説明する。
＜第１実施形態＞
図１は、本発明の第１実施形態に係る画像表示システム１の構成を示す機能的ブロック図である。
【００３８】
（１）画像表示システムの全体構成
画像表示システム１は、画像データを処理するデータ処理装置としてのパーソナルコンピュータ２と、パーソナルコンピュータ２にて処理された画像データに基づいて画像を表示する画像表示装置としての液晶プロジェクタ３と、パーソナルコンピュータ２および液晶プロジェクタ３間においてデータを伝送する伝送路としてのＵＳＢケーブル４とを備えて構成されている。
【００３９】
（２）パーソナルコンピュータの構成
パーソナルコンピュータ２は、画像データ入力手段２１と、制御手段２２と、記憶手段２３と、通信手段としてのＵＳＢコントローラ２４とを備えて構成されている。
【００４０】
画像データ入力手段２１は、最終的に液晶プロジェクタ３に表示させる画像データを制御手段２２に入力する手段である。本実施形態では、画像データは、ＲＧＢ各色ごとに８ビット、合計２４ビットのデータであるものとする。なお、画像データとしては、パーソナルコンピュータ２内部で生成されるものであってもよいし、パーソナルコンピュータ２外部から提供されるもの（インターネットを介して提供される画像データ，ＶＴＲデッキやＤＶＤプレイヤなどの外部の画像データ出力装置（図示省略）から提供される画像データ，パーソナルコンピュータ２に設けられるチューナ（図示省略）にて受信される電波に担持される画像データなど）であってもよい。また、画像データは、静止画像データおよび動画像データのいずれでもよい。
【００４１】
制御手段２２は、画像データ入力手段２１を通じて入力された画像データ処理に関する全般的な制御を行う手段であり、機能的には、画像データ処理手段２２１と、部分精度データ生成手段２２２と、判定手段２２３と、ヘッダ設定手段２２４とを備えて構成されている。
【００４２】
画像データ処理手段２２１は、画像データ入力手段２１を通じて入力された画像データに対して一般的な補正処理を行って、補正画像データを生成する手段であり、画質改善処理手段２２１１と、特性補正処理手段２２１２とを備えて構成されている。
画質改善処理手段２２１１は、前述したように、色作り，画作りなどと一般に呼ばれている画質改善処理を画像データに対して行う。この処理により、例えば、元々２４ビットであった画像データのビット数を増やすことができ（例えば、３０ビット）、表現可能色数を増やすことができる。
特性補正処理手段２２１２は、記憶手段２３に記憶される液晶プロジェクタ３の特性補正データに基づいて、ＶＴ補正処理や、γ補正処理などの液晶プロジェクタ３の特性補正処理を行う。なお、このような特性補正処理は画像データ（元々２４ビット）に対するデータの付加を伴い、画像データのビット数が増大する。
なお、本実施形態では、ＲＧＢ各色ごとに８ビットであった画像データが、画像データ処理手段２２１での補正処理を経て、ＲＧＢ各色ごとに１２ビットの補正画像データになるものとして説明する。以下の説明では、特に断らない限り、補正画像データのビット数は、ＲＧＢ各色ごとのビット数とする。すなわち、以下の説明では、「ＲＧＢ各色ごとに１２ビット、合計３６ビットの補正画像データ」が、「１２ビットの補正画像データ」と表現される。
【００４３】
部分精度データ生成手段２２２は、画像データ処理手段２２１によって補正処理されて生成される１２ビットの補正画像データを、精度に応じて複数の部分精度データに分割する。例えば、部分精度データ生成手段２２２は、１２ビットの補正画像データを、８ビット，４ビット，４ビットの合計３つの部分精度データに分割する。なお、部分精度データの生成の詳細については後述する。
【００４４】
判定手段２２３は、部分精度データ生成手段２２２にて生成された各部分精度データを液晶プロジェクタ３に送信するか否かを判定する手段であり、送信データ判定手段２２３１と、送信可否判定手段２２３２とを備えて構成されている。
送信データ判定手段２２３１は、部分精度データ生成手段２２２にて生成された各部分精度データのそれぞれについて、送信すべきか否かを判定する手段である。ここで、判定対象の部分精度データを送信すべきか否かは、先の時間において液晶プロジェクタ３に送信された対応する精度の部分精度データとの比較に基づいて判定される。具体的には、送信データ判定手段２２３１は、両者が異なるときは当該部分精度データを送信すべきと判定し、両者が同じときは当該部分精度データを送信すべきでないと判定する。なお、先の時間において液晶プロジェクタ３に送信された部分精度データは、送信データ判定手段２２３１における判定に用いるために、記憶手段２３に記憶されるようになっている。
送信可否判定手段２２３２は、送信データ判定手段２２３１にて送信すべきと判定された部分精度データがＵＳＢケーブル４を介して実際に送信可能か否かを判定する手段である。具体的には、送信可否判定手段２２３２は、ＵＳＢケーブル４の状態（輻輳が生じていないか等），画像フレームの更新タイミングまでの時間的余裕，送信すべきデータ量などを参照して部分精度データの送信可否を判定する。
【００４５】
ヘッダ設定手段２２４は、判定手段２２３における判定結果に基づいて、各部分精度データにヘッダを設定する手段であり、更新データ設定手段としての更新ヘッダ設定手段２２４１と、非更新データ設定手段としての非更新ヘッダ設定手段２２４２と、初期化データ設定手段としての初期化ヘッダ設定手段２２４３とを備えて構成されている。
更新ヘッダ設定手段２２４１は、送信データ判定手段２２３１にて送信すべきと判定され、かつ、送信可否判定手段２２３２にて送信可能と判定された部分精度データについて更新データとしての更新ヘッダを設定する手段である。なお、更新ヘッダの詳細については後述する。
非更新ヘッダ設定手段２２４２は、送信データ判定手段２２３１にて送信すべきでないと判定された部分精度データについて非更新データとしての非更新ヘッダを設定する手段である。なお、非更新ヘッダの詳細については後述する。
初期化ヘッダ設定手段２２４３は、送信データ判定手段２２３１にて送信すべきと判定され、かつ、送信可否判定手段２２３２にて送信不可能と判定された部分精度データについて初期化データとしての初期化ヘッダを設定する手段である。なお、初期化ヘッダの詳細については後述する。
【００４６】
記憶手段２３は、制御手段２２における画像データの処理に必要な各種のデータを記憶する手段である。具体的には、記憶手段２３は、特性補正処理手段２２１２における特性補正処理に利用される液晶プロジェクタ３の特性補正データや、送信データ判定手段２２３１における判定に利用される先の時間において液晶プロジェクタ３に送信された部分精度データなどを記憶する。
【００４７】
ＵＳＢコントローラ２４は、ＵＳＢケーブル４を介して液晶プロジェクタ３との通信を行う手段であり、特に、本発明との関係においては送信手段を構成している。
ＵＳＢコントローラ２４は、制御手段２２による制御の下、ヘッダ設定手段２２４にて設定されたヘッダに応じて、部分精度データ，ヘッダを送信可能に構成されている。具体的には、ＵＳＢコントローラ２４は、更新ヘッダが設定された部分精度データについては、当該部分精度データを更新ヘッダと併せて送信し、非更新ヘッダが設定された部分精度データについては、当該部分精度データを送信せずに非更新ヘッダのみを送信し、初期化ヘッダが設定された部分精度データについては、当該部分精度データを送信せずに初期化ヘッダのみを送信する。
なお、ＵＳＢコントローラ２４は、ＵＳＢケーブル４を介して液晶プロジェクタ３からのデータを受信することも可能である。ＵＳＢコントローラ２４が受信するデータとしては、例えば、液晶プロジェクタ３の特性補正データが挙げられる。特性補正データは、個々の液晶プロジェクタ３に固有のデータであるため、液晶プロジェクタ３に記憶されるのが一般的であるところ、ＵＳＢコントローラ２４によってＵＳＢケーブル４を介して液晶プロジェクタ３から特性補正データを受信することが可能である。そして、ＵＳＢコントローラ２４によって受信された特性補正データは、記憶手段２３によって記憶され、特性補正処理手段２２１２における特性補正処理に用いられる。なお、特性補正データは、個々の液晶プロジェクタ３に固有のデータであって、時間的に変化しないものであるので、一旦記憶手段２３によって記憶されれば、同一の液晶プロジェクタ３を使用する限り、特性補正データを液晶プロジェクタ３からパーソナルコンピュータ２へ再度送信する必要はない。
【００４８】
（３）液晶プロジェクタの構成
液晶プロジェクタ３は、通信手段としてのＵＳＢコントローラ３１と、制御手段３２と、記憶手段３３と、データ合成手段３４と、液晶パネル駆動装置３５と、画像表示手段としての液晶パネル３６と、投射光学装置３７とを備えて構成されている。
【００４９】
ＵＳＢコントローラ３１は、ＵＳＢケーブル４を介してパーソナルコンピュータ２との通信を行う手段であり、パーソナルコンピュータ２におけるＵＳＢコントローラ２４と同様の構成を有し、特に、本発明との関係においては受信手段を構成している。
ＵＳＢコントローラ３１は、ＵＳＢケーブル４を介してパーソナルコンピュータ２から送信されてくるデータを受信可能に構成されている。また、ＵＳＢコントローラ３１は、ＵＳＢケーブル４を介してパーソナルコンピュータ２へデータ（例えば、液晶プロジェクタ３の特性補正データ）を送信することも可能である。
【００５０】
制御手段３２は、液晶プロジェクタ３における全般的な制御を行う手段である。特に、制御手段３２は、ＵＳＢコントローラ３１にて受信されたデータ（更新ヘッダ＋部分精度データ／非更新ヘッダのみ／初期化ヘッダのみ）に応じて、記憶手段３３に記憶されているデータの更新／非更新／初期化を実行する。具体的には、制御手段３２は、ＵＳＢコントローラ３１にて受信されたデータが「更新ヘッダ＋部分精度データ」であった場合は、当該更新ヘッダを参照して、記憶手段３３に記憶されている対応する精度の部分精度データを、受信された部分精度データによって更新し、ＵＳＢコントローラ３１にて受信されたデータが「非更新ヘッダのみ」であった場合は、当該非更新ヘッダを参照して、記憶手段３３に記憶されている対応する精度の部分精度データを更新せず、ＵＳＢコントローラ３１にて受信されたデータが「初期化ヘッダのみ」であった場合は、当該初期化ヘッダを参照して、記憶手段３３に記憶されている対応する精度の部分精度データを初期化する。
【００５１】
記憶手段３３は、各種のデータを記憶する手段である。特に、記憶手段３３は、制御手段３２による制御の下、ＵＳＢコントローラ３１にて受信された部分精度データを記憶する。ここで、部分精度データは、各精度ごとに別々に記憶されるようになっている。また、前述したように、ＵＳＢコントローラ３１にて受信されたヘッダの種類（更新／非更新／初期化）に応じて、制御手段３２による制御の下、記憶手段３３に記憶された部分精度データは、各精度ごとに更新／非更新／初期化されるようになっている。なお、記憶手段３３には、液晶プロジェクタ３の特性補正データ（前述）なども記憶されている。
【００５２】
データ合成手段３４は、記憶手段３３にて記憶された各精度ごとの部分精度データを合成する手段である。ここで、部分精度データは、パーソナルコンピュータ２における部分精度データ生成手段２２２によって補正画像データが分割されて生成されたデータであるが、データ合成手段３４にて各精度ごとの部分精度データを合成することによって、部分精度データ生成手段２２２にて分割された補正画像データが再構成されることとなる。
【００５３】
液晶パネル駆動装置３５は、データ合成手段３４にて合成された画像データに基づいて液晶パネル３６を駆動し、当該画像データに基づく画像を液晶パネル３６に表示させる。なお、詳しい図示は省略するが、液晶パネル３６はＲＧＢ各色ごとに合計３枚設けられている。
そして、３枚の液晶パネル３６によって表示されたＲＧＢ各色ごとの画像は、投射光学装置３７において、クロスダイクロイックプリズムなどの色合成光学素子によって合成された後、投射レンズなどの拡大光学素子によって拡大されてスクリーン５に投射される。
【００５４】
（４）画像表示システムにおける画像表示動作
続いて、以上のような構成を備える画像表示システム１における画像表示動作について、より詳細に説明する。
図２は、画像表示システム１における画像表示の流れを示すフローチャートである。
【００５５】
特性補正データ送信ステップＳ１（Ｓはステップの意）では、液晶プロジェクタ３のＵＳＢコントローラ３１が、制御手段３２による制御の下、記憶手段３３に予め記憶されている液晶プロジェクタ３の特性補正データをＵＳＢケーブル４を介して送信する。
【００５６】
特性補正データ受信ステップＳ２では、パーソナルコンピュータ２のＵＳＢコントローラ２４が、ＵＳＢケーブル４を介して送信されてきた特性補正データを受信する。受信された特性補正データは、制御手段２２による制御の下、記憶手段２３によって記憶される。
【００５７】
画像データ入力ステップＳ３では、画像データ入力手段２１が制御手段２２に画像データを入力する。
【００５８】
画像データ処理ステップＳ４では、画像データ処理手段２２１が、Ｓ３にて入力された画像データに対して一般的な補正処理を行う。具体的には、前述したように、画像データに対して、画質改善処理手段２２１１が画質改善処理を行い、特性補正処理手段２２１２がＳ２にて記憶手段２３に記憶された特性補正データに基づいて液晶プロジェクタ３の特性補正処理を行う。前述したように、Ｓ４における補正処理によって画像データのビット数は８ビットから１２ビットに増加する。
【００５９】
部分精度データ生成ステップＳ５では、部分精度データ生成手段２２２が、Ｓ４において生成された１２ビットの補正画像データから複数の部分精度データを生成する。
図３のフローチャートに、部分精度データ生成ステップＳ５において部分精度データ生成手段２２２によって行われる処理の流れを示す。
【００６０】
Ｓ６では、１２ビットの補正画像データを分割して複数の部分精度データを生成する際の分割の初期条件が設定される。具体的に、分割の初期条件は、分割を開始するビット位置Ｐと、分割するビット幅Ｗとの組（Ｐ，Ｗ）によって設定される。以下で詳細に説明するが、条件（Ｐ，Ｗ）の下では、分割開始ビット位置ＰからＷビット分の部分精度データが生成されることになる。なお、（Ｐ，Ｗ）の組は複数設定してよい。以下、本実施形態では、初期条件として（Ｐ，Ｗ）＝（４，８），（２，４），（０，４）が設定された場合を例にとって説明を行う。
なお、分割開始ビット位置Ｐは、説明の便宜上、１２ビットの補正画像データにおいて、最下位ビット（ＬＳＢ：Least Significant Bit）の位置を「０」，最上位ビット（ＭＳＢ：Most Significant Bit）の位置を「１１」として、ビット位置を０〜１１の整数で表すことにする。
【００６１】
Ｓ７では、部分精度データ生成手段２２２が、液晶プロジェクタ３における液晶パネル３６の画素のうち、部分精度データの生成が終了していない未処理の画素を１つ抽出する。そして、抽出された１つの未処理画素に入力される１２ビットの補正画像データ（以下、画素データともいう）を残差として設定する。
以下、本実施形態では、Ｓ７において残差として設定される１２ビットの画素データが『０１１１０１０１１１１０』である場合を例にとって説明を行う。
【００６２】
Ｓ８では、部分精度データ生成手段２２２が、Ｓ７において設定された残差『０１１１０１０１１１１０』から、分割条件（Ｓ６において設定された初期条件）（Ｐ，Ｗ）＝（４，８），（２，４），（０，４）のうち、最初の分割条件（Ｐ，Ｗ）＝（４，８）に基づいて、第１の部分精度データを生成する。以下、この例では、最も単純な方法による部分精度データの生成について説明する。なお、後述するように、本実施形態では、これ以外の方法による部分精度データの生成も行われるようになっている。
【００６３】
最も単純な方法では、図４に示されるように、ビット位置Ｐ＝３の数値（＝１）を丸める処理（数値が０だったら切り捨て、１だったら切り上げる処理。１０進数における四捨五入に相当。以下、丸め処理という）を行った上で、残差（初期値）のビット位置Ｐ＝４からＷ＝８ビット分を第１の部分精度データ『０１１１０１１０＊＊＊＊』として生成する。ここで、第１の部分精度データは、１２ビットの画素データのＭＳＢから８ビット分のデータであり、画像における主要部を表現可能な本発明における主要部分精度データとなっている。
【００６４】
Ｓ９では（第１の部分精度データについては、Ｓ１１〜Ｓ１３は行われない）、部分精度データ生成手段２２２が、残差（初期値）から第１の部分精度データを減算する。これによって、図４に示されるように、残差は『１１１１１１１１１１１０』に更新される（第１更新値）。
【００６５】
以降、Ｓ１０において、全ての部分精度データ（本実施形態では、３つの部分精度データ）の生成が終了したと判定される（Ｙｅｓ）まで、Ｓ８〜Ｓ９の処理が繰り返し行われる。
【００６６】
２回目のＳ８では、部分精度データ生成手段２２２が、先のＳ９において更新された残差『１１１１１１１１１１１０』から、次の分割条件（Ｐ，Ｗ）＝（２，４）に基づいて、第２の部分精度データを生成する。
具体的には、図４に示されるように、ビット位置Ｐ＝１の数値（＝１）を丸める処理を行った上で、残差（第１更新値）のビット位置Ｐ＝２からＷ＝４ビット分を第２の部分精度データ『＊＊＊＊＊＊００００＊＊』として生成する。
ここで、第２の部分精度データは、画像データとしての１２ビットの残差（初期値）から主要部分精度データとしての第１の部分精度データを差し引いて得られる差分データとしての残差（第１更新値）に基づいて生成されており、主要部分精度データとしての第１の部分精度データと合成されることにより画像における詳細部を表現可能な本発明における詳細部分精度データとなっている（後述する第３の部分精度データも同様）。
【００６７】
続くＳ１１では、部分精度データ生成手段２２２が、残差（第１更新値）が第２の部分精度データによって表現可能か否かを判定する。ここで、「表現可能」とは、部分精度データと残差とが実質的に同一であって、部分精度データによって残差を表現（再現）可能であることを言い、具体的には、部分精度データを符号拡張したものが、残差（図４の例では丸め処理後のもの）に一致することをいう。なお、符号拡張とは、２の補数形式で表現されるデータにおいて符号を表すＭＳＢの数値（１なら負，０なら正）をコピーすることによって、データのビット範囲を拡大することを言う。
【００６８】
後述するように、補正画像データは、複数の部分精度データに分割されてパーソナルコンピュータ２から液晶プロジェクタ３に送信され、液晶プロジェクタ３にて各精度の部分精度データの合成が行われて本来の補正画像データが再現されるようになっている。しかしながら、部分精度データが、当該部分精度データの元である残差を表現可能でなければ、当該部分精度データを合成しても本来の補正画像データ（残差）を再現することはできない。そこで、Ｓ１１では、Ｓ８において生成された部分精度データが残差を表現可能か否かを判定することとしている。
【００６９】
具体的には、図５に示されるように、丸め処理後の残差と、符号拡張後の第２の部分精度データとを比較する。図５の例においては、両者が一致しているので、Ｓ１１では、残差が部分精度データによって表現可能（Ｙｅｓ）と判定され、Ｓ９に進む。
【００７０】
ここで、残差が部分精度データによって表現可能でない場合（Ｓ１１：Ｎｏ）について説明するために、別の例を挙げておく。
図６に示す例では、４ビットの（第２の）部分精度データでは残差を表現することができず（Ｓ１１：Ｎｏ）、Ｓ１２において、部分精度データのビット幅が拡大される。
まず、部分精度データのビット幅を５ビットに拡大し、合わせて分割条件を更新する（Ｓ１３）。続くＳ８では、Ｓ１３において更新された分割条件（ビット幅が５ビット）に基づいて、５ビットの部分精度データを生成する。具体的には、丸め処理後の残差から５ビット分のデータを部分精度データとして再設定する。そして、Ｓ１１では、５ビットの部分精度データを符号拡張したものが丸め処理後の残差と比較されるが、両者は一致せず、表現不可能である（Ｎｏ）。
そこで、さらに部分精度データのビット幅が６ビットに拡大され（Ｓ１２）、合わせて分割条件が更新される（Ｓ１３）。すると、当該分割条件に基づいて生成される６ビットの部分精度データ（Ｓ８）を符号拡張したものと丸め処理後の残差とが一致して表現可能（Ｓ１１：Ｙｅｓ）となるので、Ｓ９に進む。
【００７１】
このように、残差が部分精度データによって表現可能でない場合（Ｓ１１：Ｎｏ）には、残差が表現可能になるまで部分精度データのビット幅が拡大され（Ｓ１２）、合わせて分割条件が更新されるようになっている（Ｓ１３）。ここで、Ｓ１３において分割条件が更新されると、以降の画像フレームについての処理では、Ｓ６において設定された分割の初期条件の代わりに、Ｓ１３において更新された分割条件が利用されることとなる。
【００７２】
図４の例に戻って説明を続ける。
２回目のＳ８において、第２の部分精度データが生成されると、Ｓ１１（Ｙｅｓ）を経て、Ｓ９に進み、図４に示されるように残差が更新される（第２更新値）。
【００７３】
そして、３回目のＳ８では、部分精度データ生成手段２２２が、更新された残差『１１１１１１１１１１１０』から、次の分割条件（Ｐ，Ｗ）＝（０，４）に基づいて、第３の部分精度データを生成する。
具体的には、図４に示されるように、残差（第２更新値）のビット位置Ｐ＝０からＷ＝４ビット分を第３の部分精度データ『＊＊＊＊＊＊＊＊１１１０』として生成する。説明は省略するが、この第３の部分精度データは、残差（第２更新値）を表現可能である（Ｓ１１：Ｙｅｓ）。
【００７４】
以上のように、３つの部分精度データの生成が終了すると（Ｓ１０：Ｙｅｓ）、Ｓ１４において液晶パネル３６の全画素の処理が終了したと判定される（Ｙｅｓ）まで、Ｓ７以降の処理が繰り返し行われる。そして、全画素の処理が終了して（Ｓ１４：Ｙｅｓ）、１画像フレーム分の処理がすると、次の画像フレームの処理に移行する（Ｓ１５）。
【００７５】
以上、図３に示される部分精度データ生成ステップＳ５を経て、液晶パネル３６の全画素の画素データ（１２ビット）について、それぞれ３つの部分精度データが生成される。
【００７６】
特に、図４に例として示した、１２ビットの画素データ『０１１１０１０１１１１０』からは、８ビットの第１の部分精度データ『０１１１０１１０＊＊＊＊』，４ビットの第２の部分精度データ『＊＊＊＊＊＊００００＊＊』，４ビットの第３の部分精度データ『＊＊＊＊＊＊＊＊１１１０』が生成される。後述するように、これらの部分精度データは、液晶プロジェクタ３に送信され、液晶プロジェクタ３にて合成されて元の画素データを再現することができる。ここで、合成は、第１，第２，第３の部分精度データを、それぞれ符号拡張（符号を表すＭＳＢの数値を図４等における『＊』の箇所にコピー）した上で加算することにより行われる。図７に、図４の例に対応する合成の例を示す。この図に示されるように、合成によって、残差の初期値、すなわち、元の画素データが再現されることがわかる。
【００７７】
続いて、図２に戻って、Ｓ５以降の画像表示の流れについて説明する。
Ｓ１６では、送信データ判定手段２２３１が、Ｓ５において生成された各部分精度データのそれぞれについて、送信すべきか否かを判定する。前述したように、送信データ判定手段２２３１は、先の時間において液晶プロジェクタ３に送信された対応する精度の部分精度データとの比較に基づいて判定を行い、両者が異なるときは判定対象の部分精度データを送信すべきと判定し、両者が同じときは判定対象の部分精度データを送信すべきでないと判定する。
【００７８】
Ｓ１７では、送信可否判定手段２２３２が、ＵＳＢケーブル４の状態（輻輳が生じていないか等），画像フレームの更新タイミングまでの時間的余裕，送信すべきデータ量などを参照して、Ｓ１６にて送信すべき（Ｙｅｓ）と判定された部分精度データについて、当該部分精度データがＵＳＢケーブル４を介して実際に送信可能か否かを総合的に判定する。ここで、送信可否判定手段２２３２は、部分精度データ生成手段２２２にて生成された第１〜３の部分精度データのうち、主要部分精度データとしての第１の部分精度データについて優先的に判定を行い、以降、第２の部分精度データ，第３の部分精度データの順で判定を行う。したがって、例えば、第１〜３の部分精度データのうちいずれか１つしか送信できないような状況においては、第１の部分精度データが送信可能と判定され、第２，３の部分精度データは送信不可能と判定されることになる。
【００７９】
Ｓ１８では、更新ヘッダ設定手段２２４１が、Ｓ１７にて送信可能（Ｙｅｓ）と判定された部分精度データについて更新ヘッダを設定する。
【００８０】
Ｓ１９では、初期化ヘッダ設定手段２２４３が、Ｓ１７にて送信不可能（Ｎｏ）と判定された部分精度データについて初期化ヘッダを設定する。
【００８１】
Ｓ２０では、非更新ヘッダ設定手段２２４２が、Ｓ１６にて送信すべきでない（Ｎｏ）と判定された部分精度データについて非更新ヘッダを設定する。
【００８２】
Ｓ２１では、ＵＳＢコントローラ２４が、制御手段２２による制御の下、ＵＳＢケーブル４を介して、液晶プロジェクタ３にデータを送信する。ここで、送信されるデータは、Ｓ１８〜Ｓ２０において部分精度データについて設定されたヘッダに応じて異なる。
【００８３】
図８に送信されるデータを示す。この図において、（Ａ）は、Ｓ１８において更新ヘッダが設定された場合の送信データを、（Ｂ）は、Ｓ２０において非更新ヘッダが設定された場合の送信データを、（Ｃ）は、Ｓ１９において初期化ヘッダが設定された場合の送信データを、それぞれ示している。（Ａ）において太枠で示しているように、更新ヘッダが設定された場合に限り部分精度データが送信されるようになっており、非更新ヘッダが設定された場合（Ｂ），初期化ヘッダが設定された場合（Ｃ）には、部分精度データは送信されず、データ開始記号，データ終了記号，最上位ビット（ＭＳＢ）位置，最下位ビット位置（ＬＳＢ）などのデータ量の少ないデータのみが送信されるようになっている。なお、データ開始記号とは、データの開始を示す記号であり、データ終了記号とは、データの終了を示す記号であり、最上位ビット位置とは、各ヘッダが設定された部分精度データの最上位ビット位置のデータであり、最下位ビット位置とは、各ヘッダが設定された部分精度データの最下位ビット位置のデータである。
【００８４】
続いて、以上で説明したＳ１６からＳ２１までの処理について例を挙げて説明する。
前述したように、Ｓ１６では、判定対象の部分精度データと、先の時間において液晶プロジェクタ３に送信された部分精度データとの比較に基づいて判定が行われるところ、ここでは、図４に示される部分精度データが前フレーム（先の時間）において液晶プロジェクタ３に送信されており、判定対象の部分精度データが図９に示されるものである場合を例にとって説明する。
【００８５】
図９では、部分精度データの生成に際し、前フレーム（図４）との相関が考慮されている。この図の例では、１２ビットの画素データ、すなわち、残差の初期値を『０１１１０１１１１０１０』としている。また、部分精度データ生成に用いる分割条件は図４の例と同じものである。
この分割条件の下では、第１の部分精度データは１２ビットの画素データにおけるＭＳＢから８ビット分のデータであるところ、単純に８ビット分のデータを切り出すと、『０１１１０１１１＊＊＊＊』となる。ここで、この分割条件の下では、第１の部分精度データと第２の部分精度データとが重なっている（２ビット分）ため、第１の部分精度データを単純に切り出された８ビット分のデータ『０１１１０１１１＊＊＊＊』としなくても、第２の部分精度データと加算することにより元の画素データを再現することができる。このように元の画素データの再現性を保証することができるという条件の下では、第１の部分精度データとして、図９に示される４つの候補（１）〜（４）が考えられる。
【００８６】
なお、図４の例では、残差の初期値に対して丸め処理を行ったものを第１の部分精度データとしていたが、見方を変えれば、図９と同様に考えられた複数の第１の部分精度データ候補のうち、残差（第１更新値）が最小となるものを第１の部分精度データとして選択したと見ることができる。そこで、同じ基準を図９に適用すれば、候補（１）が選択されることになる。しかしながら、候補（１）は、図４の第１の部分精度データと異なっているので、Ｓ１６において送信すべきと判定され、データの送信が必要となる（Ｓ２１）。
【００８７】
一方、図９に示されている候補（１）〜（４）の中には、図４の第１の部分精度データと同じ候補（３）が含まれており、これを選択すれば、Ｓ１６において送信すべきでないと判定され、データの送信が不要となる（Ｓ２１）。そこで、送信データ量を少なくする観点から、本実施形態では、候補（３）を第１の部分精度データとして選択する。
【００８８】
続いて、選択された第１の部分精度データ（３）によって残差を更新すると、『０００００００１１０１０』となる。上と同様に、この分割条件の下では、第２の部分精度データと第３の部分精度データとが重なっている（２ビット分）ので、元の画素データの再現性を保証することができる第２の部分精度データとしては、図９に示される４つの候補（１）〜（４）が考えられる。
【００８９】
ここでも、第１の部分精度データの選択のときに用いた基準によって第２の部分精度データを選択することができる。しかしながら、これら４つの候補（１）〜（４）の中には、図４の第２の部分精度データと同じものが含まれていないので、いずれを選択してもデータの送信が必要となる。そこで、ここでは図４の例と同様に、残差（第２更新値）が最小となる候補（１）を第２の部分精度データとして選択する。
【００９０】
以上の結果、最後の残差（第２更新値）として『１１１１１１１１１１１０』が得られる。これにより、第３の部分精度データとして、『＊＊＊＊＊＊＊＊１１１０』が得られる。
【００９１】
図４と図９との比較において、第１の部分精度データと、第３の部分精度データとは同一である。したがって、Ｓ１６において、送信データ判定手段２２３１は、第１の部分精度データと、第３の部分精度データとについては、送信すべきでない（Ｎｏ）と判定し、Ｓ２０において非更新ヘッダが設定される。このため、図８（Ｂ）に示されるように、Ｓ２１においては、第１の部分精度データ（８ビット）および第３の部分精度データ（４ビット）が送信されることはなく、非更新ヘッダなどのデータ量の少ないデータのみが送信される。
【００９２】
一方、第２の部分精度データについては、図４と図９とで異なっている。したがって、Ｓ１６において、送信データ判定手段２２３１は、第２の部分精度データについては、送信すべき（Ｙｅｓ）と判定する。そして、Ｓ１７において送信可能（Ｙｅｓ）と判定されれば、Ｓ１８において更新ヘッダが設定され、図８（Ａ）に示されるように、Ｓ２１においては、第２の部分精度データが更新ヘッダ等とともに送信される。
【００９３】
以上のように、図９に示される３つの部分精度データのうち、実際に送信されるのは第２の部分精度データのみであるから、ＵＳＢケーブル４を介して送信するデータ量を小さくすることができる。
【００９４】
続いて、図２に戻って、Ｓ２１以降の画像表示の流れについて説明する。
Ｓ２２では、Ｓ２１においてパーソナルコンピュータ２におけるＵＳＢコントローラ２４から送信されたデータを、液晶プロジェクタ３におけるＵＳＢコントローラ３１が受信する。
【００９５】
Ｓ２３では、制御手段３２が、Ｓ２２において受信されたデータに更新ヘッダが含まれているか否かを判定する。
【００９６】
Ｓ２２において受信されたデータに更新ヘッダが含まれていた場合（Ｓ２３：Ｙｅｓ）には、Ｓ２４において、制御手段３２が、当該更新ヘッダとともに送信されてきた部分精度データ（図８（Ａ）参照）によって、記憶手段３３に記憶されている対応する精度の部分精度データを更新する。
【００９７】
Ｓ２２において受信されたデータに更新ヘッダが含まれていない場合（Ｓ２３：Ｎｏ）には、Ｓ２５において、制御手段３２が、当該受信データに初期化ヘッダが含まれているか否かを判定する。
【００９８】
Ｓ２２において受信されたデータに初期化ヘッダが含まれていた場合（Ｓ２５：Ｙｅｓ）には、Ｓ２６において、制御手段３２が、当該初期化ヘッダ（図８（Ｃ））を参照して、記憶手段３３に記憶されている対応する精度の部分精度データを初期化する。
【００９９】
Ｓ２５において、受信データに初期化ヘッダが含まれていないと判定された場合（Ｎｏ）には、当該受信データに非更新ヘッダが含まれており、Ｓ２７において、制御手段３２が、当該非更新ヘッダ（図８（Ｂ））を参照して、記憶手段３３に記憶されている対応する精度の部分精度データを更新せずにそのままにする。
【０１００】
先の図４および図９の例では、第２の部分精度データについては更新ヘッダが設定され、第１および第３の部分精度データについては非更新ヘッダが設定されていた。このため、Ｓ２４において、記憶手段３３に記憶される第２の部分精度データは、図９に示される第２の部分精度データ『＊＊＊＊＊＊０１１１＊＊』によって更新される。一方、第１および第３の部分精度データについては、更新は行われず、前フレームのデータがそのまま残される（Ｓ２７）。しかしながら、図４に示される前フレームにおける第１および第３の部分精度データと、図９に示される第１および第３の部分精度データとは同一であるので、更新を行わなくても、記憶手段３３には、図９に示される第１および第３の部分精度データが記憶されていることになり、問題は生じない。
【０１０１】
続くＳ２８では、データ合成手段３４が、記憶手段３３によって記憶されている各精度ごとの部分精度データを合成する。これによって、パーソナルコンピュータ２における部分精度データ生成手段２２２にて分割された元の補正画像データが再現される（図７参照）。
【０１０２】
Ｓ２９では、液晶パネル駆動装置３５が、Ｓ２８にて合成された画像データに基づいて液晶パネル３６を駆動し、当該画像データに基づく画像を液晶パネル３６に表示させる。そして、投射光学装置３７は、液晶パネル３６によって表示された画像をスクリーン５に拡大投射する。
【０１０３】
（５）本実施形態の効果
以上のような本実施形態の画像表示システム１によれば、パーソナルコンピュータ２における送信データ判定手段２２３１において送信すべきでない（Ｓ１６：Ｎｏ）と判定された部分精度データについては液晶プロジェクタ３に送信しなくてよい（図８（Ｂ）参照）ので、パーソナルコンピュータ２から液晶プロジェクタ３へＵＳＢケーブル４を介して伝送すべきデータ量を小さくして、伝送を適切に行わせることができ、液晶プロジェクタ３によって表示される画像の画質の低下を防止することができる。
【０１０４】
また、以上のような本実施形態の画像表示システム１によれば、先の時間における対応する部分精度データと比較して変化した部分精度データのみが送信データ判定手段２２３１にて送信すべき（Ｓ１６：Ｙｅｓ）と判定されるので、パーソナルコンピュータ２から液晶プロジェクタ３へＵＳＢケーブル４を介して伝送すべきデータ量を小さくして、伝送を適切に行わせることができる。
【０１０５】
また、以上のような本実施形態の画像表示システム１では、送信データ判定手段２２３１にて送信すべきでない（Ｓ１６：Ｎｏ）と判定された部分精度データについては、部分精度データを更新すべきでないという旨のデータ量の小さい非更新ヘッダが送信され、データ量の大きい部分精度データ自体は送信されない（図８（Ｂ）参照）。したがって、パーソナルコンピュータ２から液晶プロジェクタ３へＵＳＢケーブル４を介して伝送すべきデータ量を小さくして、伝送を適切に行わせることができる。
【０１０６】
また、以上のような本実施形態の画像表示システム１によれば、送信可否判定手段２２３２にて行われる判定（Ｓ１７）の結果に基づいて、ＵＳＢケーブル４の状態（輻輳が生じていないか等）などの実際の状況に照らして可能な範囲で最大限の量の部分精度データを液晶プロジェクタ３に送信することができ、実際の状況に照らして最大限の精度の画像を表示させることができる。
【０１０７】
また、以上のような本実施形態の画像表示システム１では、送信データ判定手段２２３１にて送信すべき（Ｓ１６：Ｙｅｓ）と判定され、送信可否判定手段２２３２にて送信不可能（Ｓ１７：Ｎｏ）と判定された部分精度データについて初期化ヘッダが設定され（Ｓ１９）、当該初期化ヘッダが部分精度データの代わりに液晶プロジェクタ３に送信され、記憶手段３３に記憶されている対応する部分精度データが初期化されるようになっている。これによれば、部分精度データを送信できずに液晶プロジェクタ３の記憶手段３３に記憶されている部分精度データを更新できない場合であっても、当該部分精度データを初期化することはできるので、少なくとも、先の時間における部分精度データ（本来であれば新たに送信されてくる部分精度データによって更新されるべき部分精度データ）がそのまま画像データの合成に利用されるのを防止することができ、画像の精度の悪化を防止することができる。
【０１０８】
また、以上のような本実施形態の画像表示システム１によれば、送信可否判定手段２２３２が、部分精度データ生成手段２２２にて生成された３つの部分精度データのうち、画像における主要部を表現可能な第１の部分精度データを、第２，３の部分精度データよりも優先的に送信可能（Ｓ１７：Ｙｅｓ）と判定し、当該第１の部分精度データが優先的に液晶プロジェクタ３に送信されるので、少なくとも画像の主要部については液晶プロジェクタ３に表示させることができ、最低限の画像精度を保証することができる。
【０１０９】
（６）変形例
なお、本実施形態では、１２ビットの補正画像データのＭＳＢから８ビット分のデータを、主要部分精度データとしての第１の部分精度データとして生成していたが、主要部分精度データの生成方法はこれに限られない。
例えば、時間的に隣接するフレーム間では、その主要部が共通していると期待することができるので、このようなフレームの平均データを主要部分精度データとして採用することは合理的である。具体的には、パーソナルコンピュータ２側において、液晶プロジェクタ３に表示させる複数のフレームを先読みすることができる場合には、先読みした複数フレームの平均データを主要部分精度データとして生成することができる。また、パーソナルコンピュータ２側において、フレームの先読みを行うことができない場合には、既に液晶プロジェクタ３に送信済みの過去の複数フレームの平均データを主要部分精度データとして生成することもできる。
このように、画像の主要部を適切に表現可能な主要部分精度データを生成しておけば、第２以降の部分精度データからは、時間的に隣接するフレームにおいて共通する主要部を適切に取り除くことができるので、データ量を小さくすることができる。
【０１１０】
また、本実施形態では、Ｓ６において設定される部分精度データ分割の初期条件において、分割するビット幅Ｗを０でない値に設定していたが、０に設定してもよい。ビット幅Ｗの初期値を０に設定した場合には、Ｓ１２を経て、残差が表現可能になるまで部分精度データのビット幅（初期値０）が順次拡大され、表現可能となった時点でビット幅が確定される。この場合、Ｓ１２を経て部分精度データのビット幅が残差を表現するための最小限の値になるので、データ量を小さくすることができる。
【０１１１】
また、本実施形態では、画像表示装置として液晶プロジェクタ３を設けていたが、これ以外にも、各種ディスプレイ（液晶ディスプレイ，プラズマディスプレイ，ＣＲＴディスプレイ，有機ＥＬディスプレイ等）を画像表示装置として設けてもよい。
【０１１２】
また、本実施形態では、データ処理装置としてのパーソナルコンピュータ２と画像表示装置としての液晶プロジェクタ３とが伝送路としてのＵＳＢケーブル４によって接続されていたが、伝送路はＵＳＢケーブルに限られず、ＵＳＢケーブル以外の各種伝送ケーブルや、ネットワークなどを伝送路として採用することもできる。
【０１１３】
＜第２実施形態＞
続いて、本発明の第２実施形態について説明する。
なお、第１実施形態と共通する点については説明を省略もしくは簡素化し、特に、第１実施形態と対応する構成要素については同一符号を付して、その説明を省略もしくは簡素化する。
【０１１４】
本実施形態では、画像データ入力手段２１によって入力される画像データが、ＭＰＥＧ方式によって符号化されている。部分精度データ生成手段２２２は、ＭＰＥＧにおける画像圧縮の単位となるＧＯＰ構造を利用して部分精度データの生成を行う。
【０１１５】
図１０は、ＭＰＥＧ方式によって符号化された画像データを模式的に示す図である。
この図に示されるように、ＧＯＰは、Ｉピクチャ，Ｐピクチャ，Ｂピクチャの３種類のピクチャからなるピクチャ群によって構成されている。前述したように、Ｉピクチャは、それ自体で再生可能なピクチャ，Ｐピクチャは、先の時間におけるピクチャを参照して再生可能なピクチャ，Ｂピクチャは、先および後の時間におけるピクチャを参照して再生可能なピクチャである。ここで、ＰピクチャおよびＢピクチャは、他のピクチャを参照して再生可能なピクチャであるが、その参照対象は自身の属するＧＯＰ構造内の他のピクチャに限定されている。このように、ＧＯＰ構造内においては各ピクチャ間の参照関係が閉じているので、同一ＧＯＰに属する各ピクチャは、互いに類似・共通する部分が多い。
【０１１６】
ここで、同一ＧＯＰに属する各ピクチャ間における類似・共通部分は、当該ＧＯＰによって表される一連のピクチャにおける主要部を構成している。そこで、本実施形態では、部分精度データ生成手段２２２が、同一ＧＯＰに属する各ピクチャの平均をとることによって類似・共通部分のみを抽出し、これを主要部分精度データとしての第１の部分精度データとしている。なお、詳細部分精度データとしての第２以降の部分精度データは、第１実施形態と同様に、元の画像データから第１の部分精度データを差し引いて生成される差分データに基づいて順次生成されるようになっている。
【０１１７】
以上のように同一ＧＯＰに含まれる各ピクチャ間で共通性の高い第１の部分精度データを設定することにより、当該第１の部分精度データを補正画像データから差し引いて生成される第２以降の部分精度データのデータ量を小さくすることができる。したがって、本実施形態によれば、ＵＳＢケーブル４を介して伝送されるデータ量を小さくすることができる。
【０１１８】
また、同一ＧＯＰに属する各ピクチャの平均データとしての第１の部分精度データは、当該ＧＯＰ属する各ピクチャに共通のものであるので、一旦液晶プロジェクタ３に送信してしまえば、同一ＧＯＰに属するピクチャを表示する間は再度送信する必要はなく、ＵＳＢケーブル４を介して伝送されるデータ量を小さくすることができる。
【０１１９】
＜第３実施形態＞
続いて、本発明の第３実施形態について説明する。
なお、第１，２実施形態と共通する点については説明を省略もしくは簡素化し、特に、第１，２実施形態と対応する構成要素については同一符号を付して、その説明を省略もしくは簡素化する。
【０１２０】
本実施形態では、画像データ入力手段２１によって入力される画像データに予め空間周波数変換が施されている。ここで、空間周波数変換とは、画像データを各空間周波数成分に変換することであり、例えば、ＤＣＴ（Discrete Cosine Transform：離散コサイン変換），フーリエ変換，アダマール変換，ウェーブレット変換が挙げられる。以下、本実施形態では、ＤＣＴを利用する場合を例にとって説明する。
【０１２１】
図１１は、画像データにＤＣＴを施す際に行われる画像データのブロック分割の様子を模式的に示す図である。この図において、各小正方形は画像を構成する各画素を表しており、画像は２４×３２個の画素によって構成されている。そして、この画像データにＤＣＴを施すため、画像データが、８×８個の画素によって構成される１２個のブロック（太枠によって画される大正方形。以下、８×８ブロックという）に分割されている。ＤＣＴは、これらの各８×８ブロックごとに実行される。
【０１２２】
図１２は、１つの８×８ブロックにＤＣＴを実行することによって生成される各空間周波数成分を模式的に示す図である。この図に示されるように、８×８ブロックにＤＣＴを施すと、８×８個の空間周波数成分が生成されるようになっている。この図において、左上の空間周波数成分は定常成分（ＤＣ成分）であり、当該定常成分から離れるにつれて高い空間周波数に対応する空間周波数成分が順次配列されている。ここで、定常成分は、具体的には、ＤＣＴ前の８×８ブロック（図１１）内の画素の平均値である。
【０１２３】
本実施形態では、部分精度データ生成手段２２２が、画像データにＤＣＴを施して得られる各空間周波数成分（図１２）に基づいて当該画像データの分割を行い、部分精度データを生成する。この点、画像データをビットデータとして分割することにより部分精度データを生成していた第１実施形態と相違する。具体的には、部分精度データ生成手段２２２は、ＤＣＴによって得られる定常成分を、主要部分精度データとしての第１の部分精度データとして生成する。このため、ＤＣＴ実行単位としての８×８ブロックが３×４個ある図１１の例では、各ブロックにつき１個ずつ合計３×４個の定常成分によって第１の部分精度データが構成される。
【０１２４】
なお、詳細部分精度データとしての第２以降の部分精度データは、８×８個の空間周波数成分のうち定常成分以外の各空間周波数成分（差分データ）に基づいて生成される。この際、１つの空間周波数成分をそのまま部分精度データとしてもよいし、複数の空間周波数成分を組み合わせて１つの部分精度データを生成してもよい。
ここで、第２以降の部分精度データは、画像における重要な部分を表現可能なものから順に生成することが好ましい。一般に、低い空間周波数成分の方が高い空間周波数成分よりも画像における重要な部分を表現しているので、例えば、第２の部分精度データを低い空間周波数成分に基づいて生成し、第３，第４・・・と進むにつれて、高い空間周波数成分に基づいて部分精度データを生成することが好ましい。なお、送信可否判定手段２２３２における送信可否の判定順序は、第１実施形態と同様（第１の部分精度データ→第２の部分精度データ→・・・）である。
【０１２５】
以上のように、本実施形態では、画像データにＤＣＴを施して生成された各空間周波数成分のうち、変動の最も少ない定常成分を第１の部分精度データとしているので、再利用性の高い第１の部分精度データを得ることができ、結果的に、ＵＳＢケーブル４を介して伝送されるデータ量を小さくすることができる。
【０１２６】
図１３は、本実施形態において、パーソナルコンピュータ２から液晶プロジェクタ３へＵＳＢケーブル４を介して送信されるデータを示す図である。第１実施形態についての図８と比較すれば分かるように、本実施形態では、送信データに『低周波側データ位置』，『高周波側データ位置』，『分解能Ｘ』，『分解能Ｙ』というデータが付加されている。ここで、低周波側データ位置，高周波側データ位置とは、第１実施形態における最上位ビット位置，最下位ビット位置に対応するデータであり、部分精度データの分割範囲を規定する。具体的には、低周波側データ位置あるいは高周波側データ位置とは、図１２においては、ＤＣ成分（最低の空間周波数成分）から図中の矢印に沿って何番目の空間周波数成分であるかを示すデータであり、部分精度データは、低周波側データ位置から高周波側データ位置までの間の空間周波数成分によって生成されることとなる。また、分解能ＸおよびＹとは、ＤＣＴを実行するブロック（図１１）の縦および横の画素数であり、本実施形態では、Ｘ＝８，Ｙ＝８である。
以上のようなデータ位置および分解能に関するデータを液晶プロジェクタ３への送信データに含めることにより、液晶プロジェクタ３におけるデータ合成手段３４は、画像データがどのようなブロックに分割された上でＤＣＴが施されたかを認識することができ、ＤＣＴ前の画像データを正確に再現することができる
【０１２７】
なお、本実施形態では、画像データ入力手段２１によって入力される画像データに予め空間周波数変換（ＤＣＴ）が施されているとしていたが、空間周波数変換が施されていない画像データ入力手段２１からの画像データに、部分精度データ生成手段２２２が空間周波数変換を施すようにしてもよい。
【０１２８】
また、本実施形態では、画像データを８×８ブロックに分割してＤＣＴを施していたが、１６×８，８×１６，１６×１６などのブロック分割を行って空間周波数変換を行ってもよい。
【０１２９】
＜第４実施形態＞
続いて、本発明の第４実施形態について説明する。
なお、第１〜３実施形態と共通する点については説明を省略もしくは簡素化し、特に、第１〜３実施形態と対応する構成要素については同一符号を付して、その説明を省略もしくは簡素化する。
【０１３０】
図１４は、本発明の第４実施形態に係る画像表示システム１の構成を示す機能的ブロック図である。
図１に示される第１実施形態に係る画像表示システム１との相違点は、パーソナルコンピュータ２における制御手段２２に部分領域分割手段２２５が設けられている点である。
部分領域分割手段２２５は、画像データ入力手段２１から制御手段２２に入力される画像データを複数の部分領域に分割する機能的手段である。特に、部分領域分割手段２２５は、部分精度データ生成手段２２２における部分精度データの生成処理に先立って、補正画像データを部分領域に分割するようになっており、部分精度データ生成手段２２２は、分割された各部分領域ごとに部分精度データを生成する。そして、以降、パーソナルコンピュータ２および液晶プロジェクタ３における処理（例えば、第１〜３実施形態における処理）は、部分領域分割手段２２５によって分割された各部分領域ごとに実行されるようになっている。
【０１３１】
本実施形態では、部分領域分割手段２２５は、画像データを矩形状の部分領域に分割するものとする。この際の分割条件は、部分領域の原点の座標Ｘ，Ｙ，部分領域の幅，高さの４つの数値によって設定することができる。そして、図１５に示されるように、パーソナルコンピュータ２から液晶プロジェクタ３へＵＳＢケーブル４を介して送信されるデータには、これらの４つの数値『領域原点Ｘ』，『領域原点Ｙ』，『領域幅』，『領域高さ』が付加されており、液晶プロジェクタ３におけるデータ合成手段３４は、画像データがどのような部分領域に分割されたかを認識することができ、部分領域分割画像データを正確に再現することができる。なお、図１５において括弧を付したデータは、第３実施形態における処理を実行する場合に送信されるデータを示している。
【０１３２】
以上のような本実施形態の画像表示システム１は、特に、時間的変化の小さい部分領域を含む画像データの処理に好適である。すなわち、時間的変化の小さい部分領域においては、部分精度データの時間的変化も小さいため、部分精度データの再利用性が高くなる。このため、更新用の部分精度データをパーソナルコンピュータ２から液晶プロジェクタ３に送信する回数を減らすことができるので、ＵＳＢケーブル４を介して伝送されるデータ量を小さくすることができる。
【産業上の利用可能性】
【０１３３】
本発明は、画像表示システムに利用することができる。
【図面の簡単な説明】
【０１３４】
【図１】本発明の第１実施形態に係る画像表示システムの構成を示す機能的ブロック図である。
【図２】前記第１実施形態に係る画像表示システムにおける画像表示の流れを示すフローチャートである。
【図３】前記第１実施形態に係る画像表示システムにおける部分精度データ生成の流れを示すフローチャートである。
【図４】前記第１実施形態に係る画像表示システムにおける部分精度データ生成の流れを示す図である。
【図５】前記第１実施形態に係る画像表示システムにおいて、残差が部分精度データによって表現可能である例を示す図である。
【図６】前記第１実施形態に係る画像表示システムにおいて、残差が表現可能になるまで部分精度データのビット幅が拡大される例を示す図である。
【図７】図４に示される部分精度データの合成を示す図である。
【図８】前記第１実施形態に係る画像表示システムにおいて、パーソナルコンピュータから液晶プロジェクタに送信されるデータを示す図である。
【図９】前記第１実施形態に係る画像表示システムにおいて、送信データ判定手段による判定対象の部分精度データを例示的に示す図である。
【図１０】本発明の第２実施形態に係る画像表示システムにおいて、ＭＰＥＧ方式によって符号化された画像データを模式的に示す図である。
【図１１】本発明の第３実施形態に係る画像表示システムにおいて、画像データにＤＣＴを施す際に行われる画像データのブロック分割の様子を模式的に示す図である。
【図１２】前記第３実施形態に係る画像表示システムにおいて、１つの８×８ブロックにＤＣＴを実行することによって生成される各空間周波数成分を模式的に示す図である。
【図１３】前記第３実施形態に係る画像表示システムにおいて、パーソナルコンピュータから液晶プロジェクタへＵＳＢケーブルを介して送信されるデータを示す図である。
【図１４】本発明の第４実施形態に係る画像表示システムの構成を示す機能的ブロック図である。
【図１５】前記第４実施形態に係る画像表示システムにおいて、パーソナルコンピュータから液晶プロジェクタへＵＳＢケーブルを介して送信されるデータを示す図である。
【符号の説明】
【０１３５】
１…画像表示システム，２…パーソナルコンピュータ，３…液晶プロジェクタ，４…ＵＳＢケーブル，５…スクリーン，２１…画像データ入力手段，２２…制御手段，２３…記憶手段，２４…ＵＳＢコントローラ，３１…ＵＳＢコントローラ，３２…制御手段，３３…記憶手段，３４…データ合成手段，３５…液晶パネル駆動装置，３６…液晶パネル，３７…投射光学装置，２２１…画像データ処理手段，２２２…部分精度データ生成手段，２２３…判定手段，２２４…ヘッダ設定手段，２２５…部分領域分割手段，２２１１…画質改善処理手段，２２１２…特性補正処理手段，２２３１…送信データ判定手段，２２３２…送信可否判定手段，２２４１…更新ヘッダ設定手段，２２４２…非更新ヘッダ設定手段，２２４３…初期化ヘッダ設定手段。
【図１】
2007074473.tif 000003
【図２】
2007074473.tif 000004
【図３】
2007074473.tif 000005
【図４】
2007074473.tif 000006
【図５】
2007074473.tif 000007
【図６】
2007074473.tif 000008
【図７】
2007074473.tif 000009
【図８】
2007074473.tif 000010
【図９】
2007074473.tif 000011
【図１０】
2007074473.tif 000012
【図１１】
2007074473.tif 000013
【図１２】
2007074473.tif 000014
【図１３】
2007074473.tif 000015
【図１４】
2007074473.tif 000016
【図１５】
2007074473.tif 000017